【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
特定時刻の音声の特徴量を、音韻とピッチをインデックスとして記憶する記憶手段と、
ピッチと音声の特徴量の時間変化を表すテンプレートを音韻とピッチをインデックスとして記憶するテンプレート記憶手段と、
少なくともピッチ及び音韻を含む音声合成のための音声情報を入力する入力手段と、
前記音声の特徴量とテンプレートを前記入力された音声情報により前記記憶手段及び前記テンプレート記憶手段からそれぞれ読み出す読み出し手段と、
前記読み出された音声の特徴量および前記入力された音声情報に含まれるピッチに前記読み出されたテンプレートを適用し、該適用後の音声の特徴量及びピッチに基づき音声を合成する音声合成手段とを有する音声合成装置において、
前記読み出し手段は、前記入力された音声情報に含まれるピッチが前記記憶手段における最も高いインデックスの値を超える場合に、前記入力された音声情報に含まれるピッチから前記記憶手段に記憶される最も高いインデックスのピッチを引いたピッチ差を求め、前記最も高いピッチインデックスにより前記記憶手段から読み出した特徴量に該ピッチ差を加算した特徴量を前記音声合成手段に出力することを特徴とする音声合成装置。
【請求項２】
特定時刻の音声の特徴量を、音韻とピッチをインデックスとして記憶する記憶手段と、
ピッチと音声の特徴量の時間変化を表すテンプレートを音韻とピッチをインデックスとして記憶するテンプレート記憶手段と、
少なくともピッチ及び音韻を含む音声合成のための音声情報を入力する入力手段と、
前記音声の特徴量とテンプレートを前記入力された音声情報により前記記憶手段及び前記テンプレート記憶手段からそれぞれ読み出す読み出し手段と、
前記読み出された音声の特徴量および前記入力された音声情報に含まれるピッチに前記読み出されたテンプレートを適用し、該適用後の音声の特徴量及びピッチに基づき音声を合成する音声合成手段とを有する音声合成装置において、
前記読み出し手段は、前記入力された音声情報に含まれるピッチが前記記憶手段における最も低いインデックスの値を下回る場合に、該入力された音声情報に含まれるピッチから前記記憶手段に記憶される最も低いインデックスのピッチを引いたピッチ差を求め、前記最も低いピッチインデックスにより前記記憶手段から読み出した特徴量に該ピッチ差の指定割合を加算した特徴量を前記音声合成手段に出力することを特徴とする音声合成装置。
【請求項３】
前記記憶手段に記憶される音声の特徴量には、励起レゾナンスを含み、
前記読み出し手段は、前記入力された音声情報に含まれるピッチが低いほど、前記励起レゾナンスのバンド幅が狭くなるように補正して出力することを特徴とする請求項２記載の音声合成装置。
【請求項４】
前記記憶手段に記憶される音声の特徴量には、フォルマントを含み、
前記読み出し手段は、前記入力された音声情報に含まれるピッチが低いほど、前記フォルマントのアンプリチュードが大きくなるように補正して出力することを特徴とする請求項２記載の音声合成装置。
【手続補正２】
【補正対象書類名】明細書
【補正対象項目名】００１０
【補正方法】変更
【補正の内容】
【００１０】
本発明の一観点によれば、特定時刻の音声の特徴量を、音韻とピッチをインデックスとして記憶する記憶手段と、ピッチと音声の特徴量の時間変化を表すテンプレートを音韻とピッチをインデックスとして記憶するテンプレート記憶手段と、少なくともピッチ及び音韻を含む音声合成のための音声情報を入力する入力手段と、前記音声の特徴量とテンプレートを前記入力された音声情報により前記記憶手段及び前記テンプレート記憶手段からそれぞれ読み出す読み出し手段と、前記読み出された音声の特徴量および前記入力された音声情報に含まれるピッチに前記読み出されたテンプレートを適用し、該適用後の音声の特徴量及びピッチに基づき音声を合成する音声合成手段とを有する音声合成装置は、前記読み出し手段は、前記入力された音声情報に含まれるピッチが前記記憶手段における最も高いインデックスの値を超える場合に、前記入力された音声情報に含まれるピッチから前記記憶手段に記憶される最も高いインデックスのピッチを引いたピッチ差を求め、前記最も高いピッチインデックスにより前記記憶手段から読み出した特徴量に該ピッチ差を加算した特徴量を前記音声合成手段に出力することを特徴とする。
また、本発明の他の観点によれば、特定時刻の音声の特徴量を、音韻とピッチをインデックスとして記憶する記憶手段と、ピッチと音声の特徴量の時間変化を表すテンプレートを音韻とピッチをインデックスとして記憶するテンプレート記憶手段と、少なくともピッチ及び音韻を含む音声合成のための音声情報を入力する入力手段と、前記音声の特徴量とテンプレートを前記入力された音声情報により前記記憶手段及び前記テンプレート記憶手段からそれぞれ読み出す読み出し手段と、前記読み出された音声の特徴量および前記入力された音声情報に含まれるピッチに前記読み出されたテンプレートを適用し、該適用後の音声の特徴量及びピッチに基づき音声を合成する音声合成手段とを有する音声合成装置は、前記読み出し手段は、前記入力された音声情報に含まれるピッチが前記記憶手段における最も低いインデックスの値を下回る場合に、該入力された音声情報に含まれるピッチから前記記憶手段に記憶される最も低いインデックスのピッチを引いたピッチ差を求め、前記最も低いピッチインデックスにより前記記憶手段から読み出した特徴量に該ピッチ差の指定割合を加算した特徴量を前記音声合成手段に出力することを特徴とする。
【手続補正３】
【補正対象書類名】明細書
【補正対象項目名】０１３１
【補正方法】変更
【補正の内容】
【０１３１】
まず、励起レゾナンス周波数ＥｐＲＦｒｅｑ及び第１から第４フォルマント周波数ＦｏｒｍａｎｔＦｒｅｑ（１≦ｉ≦４）を、それぞれ下記式（Ｊ１）及び（Ｊ２）を用いて、ＥｐＲＦｒｅｑ’、ＦｏｒｍａｎｔＦｒｅｑi’に置き換える。
【数１７】
2006119655.tif 000001
…（Ｊ１）
【数１８】
2006119655.tif 000002
…（Ｊ２）
さらに、ピッチが低くなるほどバンド幅が狭くなるように、励起レゾナンスバンド幅ＥＲＢＷ及び第１から第３フォルマントのバンド幅ＦｏｒｍａｎｔＢＷi（１≦ｉ≦３）をそれぞれ下記式（Ｊ３）のＥＲＢＷ’、ＦｏｒｍａｎｔＢＷi’に置き換える。
【手続補正４】
【補正対象書類名】明細書
【補正対象項目名】０１３２
【補正方法】変更
【補正の内容】
【０１３２】
【数１９】
2006119655.tif 000003
…（Ｊ３）
さらに、第１から第４フォルマントのアンプリチュードＦｏｒｍａｎｔＡｍｐ１〜ＦｏｒｍａｎｔＡｍｐ４を下記式（Ｊ５）〜（Ｊ８）に従いＰｉｔｃｈＤｉｆｆに比例させて大きくして、ＦｏｒｍａｎｔＡｍｐ１’〜ＦｏｒｍａｎｔＡｍｐ４’に置き換える。
【数２１】
2006119655.tif 000004
…（Ｊ５）
【数２２】
2006119655.tif 000005
…（Ｊ６）
【数２３】
2006119655.tif 000006
…（Ｊ７）
【数２４】
2006119655.tif 000007
…（Ｊ８）
さらに、スペクトル・エンベロープの傾きＥｓｌｏｐｅを下記式（Ｊ９）に従いＥｓｌｏｐｅ’に置き換える。
【数２５】
2006119655.tif 000008
…（Ｊ９）
図４に示すような、ピッチ、ダイナミクス、オープニングをインデックスとしてＴｉｍｂｒｅデータベースＴＤＢを作成することが好ましいが、時間的、データベースサイズ的な制約がある場合には、本実施例のように、図３に示すような、ピッチのみをインデックスとしたデータベースを用いることになる。